(57)【要約】【課題】クロストークを低減することができる表示装置を得る。【解決手段】表示部２０と、開状態と閉状態とを切り換え可能な複数の光バリアを含むバリア部１０と、光バリアの開閉タイミングに同期して１または複数のシャッタ眼鏡６０のそれぞれにおける左眼シャッタ６Ｌおよび右眼シャッタ６Ｒの開閉を切り換えるシャッタ制御部４４とを備える。【選択図】図１
2012249013.tif 000002
【特許請求の範囲】
【請求項１】
表示部と、
開状態と閉状態とを切り換え可能な複数の光バリアを含むバリア部と、
前記光バリアの開閉タイミングに同期して１または複数のシャッタ眼鏡のそれぞれにおける左眼シャッタおよび右眼シャッタの開閉を切り換えるシャッタ制御部と
を備えた
表示装置。
【請求項２】
前記複数の光バリアは、互いに異なるタイミングで開閉切り換えを行う複数のバリアグループにグループ分けされ、
前記表示部は、前記複数のバリアグループに対応して、互いに異なる映像を表示する複数のサブ領域に分けられている
請求項１に記載の表示装置。
【請求項３】
前記バリア部を駆動するバリア駆動部をさらに備え、
前記表示部は、各サブ領域において、映像を構成する各フレーム画像を、所定数のフレーム期間からなる繰返表示期間にわたって繰り返し表示し、
前記バリア駆動部は、１のバリアグループに属する複数の光バリアを、そのバリアグループに対応する繰返表示期間のうちの第１の期間においてのみ開状態にし、他の１のバリアグループに属する複数の光バリアを、そのバリアグループに対応する繰返表示期間のうちの、前記第１の期間とは異なる第２の期間においてのみ開状態にする
請求項２に記載の表示装置。
【請求項４】
前記第１の期間および前記第２の期間は、繰返表示期間のうちの先頭フレーム期間以外の期間に属している
請求項３に記載の表示装置。
【請求項５】
前記バリア部を駆動するバリア駆動部をさらに備え、
前記表示部は、各サブ領域において、映像を構成する各フレーム画像と黒画像とを、サブ領域間で互いに異なる期間においてそのフレーム画像を表示するように、時分割的に表示し、
前記バリア駆動部は、各バリアグループに属する複数の光バリアを、対応するサブ領域においてフレーム画像が表示された期間に対応する第１の期間においてのみ開状態にする
請求項２に記載の表示装置。
【請求項６】
前記複数の光バリアは、第１のバリアグループおよび第２のバリアグループにグループ分けされ、
前記表示部は、前記第１のバリアグループに対応するサブ領域に左眼映像を表示するとともに、前記第２のバリアグループに対応するサブ領域に右眼映像を表示し、
前記シャッタ制御部は、
前記第１のバリアグループに属する光バリアの開状態期間に対応する期間においてのみ前記左眼シャッタを開状態にし、
前記第２のバリアグループに属する光バリアの開状態期間に対応する期間においてのみ前記右眼シャッタを開状態にする
請求項２に記載の表示装置。
【請求項７】
前記シャッタ制御部は、各バリアグループに属する光バリアの開状態期間に対応する期間においてのみ、１または複数のシャッタ眼鏡のうちの所定のシャッタ眼鏡の左眼シャッタおよび右眼シャッタの両方を開状態にする
請求項２に記載の表示装置。
【請求項８】
前記光バリアの開状態期間に対応する期間において発光するバックライトをさらに備え、
前記表示部は、前記バックライトからの光を変調する液晶表示素子を含む
請求項１に記載の表示装置。
【請求項９】
前記表示部は、前記バックライトと前記バリア部との間に配置されている
請求項８に記載の表示装置。
【請求項１０】
前記バリア部は、前記バックライトと前記表示部との間に配置されている
請求項８に記載の表示装置。
【請求項１１】
前記表示部は、自発光表示素子を含んで構成されている
請求項５に記載の表示装置。
【請求項１２】
映像を表示し、
複数の光バリアを開状態と閉状態との間で切り換え、
前記光バリアの開閉タイミングに同期して１または複数のシャッタ眼鏡のそれぞれにおける左眼シャッタおよび右眼シャッタの開閉を切り換える
表示方法。
【発明の詳細な説明】
【技術分野】
【０００１】
本開示は、映像を表示する表示装置、およびそのような表示装置に用いられる表示方法に関する。
【背景技術】
【０００２】
近年、立体視表示が可能な表示システムが注目を集めている。そのような表示システムの１つにシャッタ眼鏡を用いた表示システムがある（例えば特許文献１など）。この表示システムでは、互いに視差がある左眼画像と右眼画像が、表示装置に交互に時分割的に表示されるとともに、これらの画像の切換えに同期してシャッタ眼鏡の左眼シャッタと右眼シャッタの開閉が切換え制御される。この切換え動作を繰り返すことにより、観察者はこれらの一連の画像からなる映像を奥行きのある立体的な映像として認識することができる。
【先行技術文献】
【特許文献】
【０００３】
【特許文献１】特開平９−１３８３８４号公報
【発明の概要】
【発明が解決しようとする課題】
【０００４】
一般に、立体視表示が可能な表示システムでは、左眼画像と右眼画像とが混ざり合う、いわゆるクロストークが生じるおそれがあり、その場合には、画質が低下してしまう。よって、このような表示システムでは、クロストークの低減が望まれている。
【０００５】
本開示はかかる問題点に鑑みてなされたもので、その目的は、クロストークを低減することができる表示装置および表示方法を提供することにある。
【課題を解決するための手段】
【０００６】
本開示の表示装置は、表示部と、バリア部と、シャッタ制御部とを備えている。バリア部は、開状態と閉状態とを切り換え可能な複数の光バリアを含むものである。シャッタ制御部は、光バリアの開閉タイミングに同期して１または複数のシャッタ眼鏡のそれぞれにおける左眼シャッタおよび右眼シャッタの開閉を切り換えるものである。
【０００７】
本開示の表示方法は、映像を表示し、複数の光バリアを開状態と閉状態との間で切り換え、光バリアの開閉タイミングに同期して１または複数のシャッタ眼鏡のそれぞれにおける左眼シャッタおよび右眼シャッタの開閉を切り換えるものである。
【０００８】
本開示の表示装置および表示方法では、表示部に表示された映像が、シャッタ眼鏡の左眼シャッタおよび右眼シャッタを介して観察者に視認される。その際、その映像は、光バリアが開状態になることにより、観察者に視認される。
【発明の効果】
【０００９】
本開示の表示装置および表示方法によれば、光バリアおよびシャッタ眼鏡の両方を用いるようにしたので、クロストークを低減することができる。
【図面の簡単な説明】
【００１０】
【図１】本開示の実施の形態に係る表示システムの一構成例を表すブロック図である。
【図２】図１に示した表示駆動部の一構成例を表すブロック図である。
【図３】図１に示した表示部の一構成例を表す説明図である。
【図４】図１に示したバリア部の一構成例を表す説明図である。
【図５】図１に示したバリア部と表示部との対応を表す平面図である。
【図６】図１に示した表示システムの一動作例を表す模式図である。
【図７】第１の実施の形態に係る表示システムの一動作例を表すタイミング図である。
【図８】第１の実施の形態に係る表示システムの一動作例を表す他のタイミング図である。
【図９】比較例に係る表示システムの一構成例を表すブロック図である。
【図１０】図９に示した表示システムの一動作例を表すタイミング図である。
【図１１】第１の実施の形態の変形例に係る表示システムの一動作例を表すタイミング図である。
【図１２】第１の実施の形態の他の変形例に係る表示システムの一動作例を表すタイミング図である。
【図１３】第１の実施の形態の他の変形例に係る表示システムの一動作例を表すタイミング図である。
【図１４】第２の実施の形態に係る表示システムの一動作例を表すタイミング図である。
【図１５】第２の実施の形態に係る表示システムの一動作例を表す他のタイミング図である。
【図１６】第２の実施の形態の変形例に係る表示システムの一動作例を表すタイミング図である。
【図１７】第２の実施の形態の他の変形例に係る表示システムの一構成例を表すブロック図である。
【図１８】図１７に示した表示システムの一動作例を表すタイミング図である。
【図１９】第３の実施の形態に係る表示システムの一構成例を表すブロック図である。
【図２０】図１９に示した表示システムの一動作例を表す模式図である。
【図２１】図１９に示した表示システムの一動作例を表すタイミング図である。
【図２２】変形例に係るバリア部の一構成例を表す平面図である。
【図２３】変形例に係る表示システムの一動作例を表すタイミング図である。
【図２４】他の変形例に係る表示システムの一構成例を表すブロック図である。
【発明を実施するための形態】
【００１１】
以下、本開示の実施の形態について、図面を参照して詳細に説明する。なお、説明は以下の順序で行う。
１．第１の実施の形態
２．第２の実施の形態
３．第３の実施の形態
【００１２】
＜１．第１の実施の形態＞
［構成例］
（全体構成例）
図１は、第１の実施の形態に係る表示システムの一構成例を表すものである。表示システム１００は、立体視表示を行う表示システムである。なお、本開示の実施の形態に係る表示装置および表示方法は、本実施の形態により具現化されるので、併せて説明する。表示システム１００は、表示装置１と、シャッタ眼鏡６０とを備えている。
【００１３】
表示装置１は、図１に示したように、制御部４１と、バックライト駆動部４２と、バックライト３０と、表示駆動部５０と、表示部２０と、バリア駆動部４３と、バリア部１０と、シャッタ制御部４４とを備えている。
【００１４】
制御部４１は、外部より供給される映像信号Ｓdispに基づいて、バックライト駆動部４２、表示駆動部５０、バリア駆動部４３、およびシャッタ制御部４４に対してそれぞれ制御信号を供給し、これらがお互いに同期して動作するように制御する回路である。具体的には、制御部４１は、バックライト駆動部４２に対してバックライト制御信号を供給し、表示駆動部５０に対して映像信号Ｓdispに基づく映像信号Ｓを供給し、バリア駆動部４３に対してバリア制御信号を供給し、シャッタ制御部４４に対して制御信号を供給するようになっている。ここで、映像信号Ｓdispは、後述する左眼画像ＰＬおよび右眼画像ＰＲの画像情報を含むものである。
【００１５】
バックライト駆動部４２は、制御部４１から供給されるバックライト制御信号に基づいてバックライト３０を駆動するものである。バックライト３０は、面発光した光を表示部２０に対して射出する機能を有している。バックライト３０は、例えば、ＬＥＤ（Light Emitting Diode）や、ＣＣＦＬ（Cold Cathode Fluorescent Lamp）などを用いて構成されるものである。
【００１６】
表示駆動部５０は、制御部４１から供給される映像信号Ｓに基づいて表示部２０を駆動するものである。表示部２０は、この例では液晶表示部であり、液晶表示素子を駆動して、バックライト３０から射出した光を変調することにより表示を行うようになっている。
【００１７】
バリア駆動部４３は、制御部４１から供給されるバリア制御信号に基づいてバリア部１０を駆動するものである。バリア部１０は、バックライト３０から射出し表示部２０を透過した光を透過（開状態）または遮断（閉状態）するものである。
【００１８】
表示装置１では、図１に示したように、バックライト３０、表示部２０、およびバリア部１０が、この順に配置されている。つまり、バックライト３０から射出した光は、表示部２０およびバリア部１０を介して、観察者に届くようになっている。
【００１９】
シャッタ制御部４４は、制御部４１から供給される制御信号に基づいてシャッタ制御信号ＣＴＬを生成し、無線通信により、シャッタ眼鏡６０に対して供給するものである。なお、この例では、シャッタ制御部４４は、シャッタ制御信号ＣＴＬを無線通信により供給するものとしたが、これに限定されるものではなく、例えば、有線通信により供給してもよい。
【００２０】
シャッタ眼鏡６０は、眼鏡型のシャッタ装置であり、観察者（図示せず）が用いることにより、立体視を可能とするものである。このシャッタ眼鏡６０は、左眼シャッタ６Ｌおよび右眼シャッタ６Ｒを有している。左眼シャッタ６Ｌおよび右眼シャッタ６Ｒは、例えば液晶シャッタにより構成されている。これらの左眼シャッタ６Ｌおよび右眼シャッタ６Ｒの透過状態（開状態）および遮光状態（閉状態）は、シャッタ制御部４４から供給されるシャッタ制御信号ＣＴＬにより制御されるようになっている。
【００２１】
（表示駆動部５０および表示部２０）
図２は、表示駆動部５０の一構成例を表すものである。表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４１から供給された映像信号Ｓを映像信号Ｓ１としてデータドライバ５３へ供給するものである。ゲートドライバ５２は、タイミング制御部５１によるタイミング制御に従って、表示部２０内の画素Ｐix（後述）を行ごとに順次選択して、線順次走査するものである。データドライバ５３は、表示部２０の各画素Ｐixへ、映像信号Ｓ１に基づく画素信号を供給するものである。
【００２２】
図３は、表示部２０の一構成例を表すものであり、（Ａ）は画素Ｐixの配列を示し、（Ｂ）は画素Ｐix内のサブ画素ＳＰixの回路図の一例を示す。
【００２３】
表示部２０は、マトリクス状に形成された複数の画素Ｐixを有している。そして、各画素Ｐixは、赤色（Ｒ）、緑色（Ｇ）、青色（Ｂ）の３色に対応する３つのサブ画素ＳＰixを有している。
【００２４】
また、表示部２０には、図３（Ａ）に示したように、表示画面の垂直方向Ｙに延伸する複数の領域ＤＬ，ＤＲが設けられている。これらの複数の領域ＤＬ，ＤＲは、水平方向Ｘに交互に配置されている。表示部２０は、後述するように、領域ＤＬに属する複数の画素Ｐixにより左眼画像ＰＬを表示するとともに、領域ＤＲに属する複数の画素Ｐixにより右眼画像ＰＲを表示するようになっている。
【００２５】
サブ画素ＳＰixは、図３（Ｂ）に示したように、ＴＦＴ（Thin Film Transistor）素子Ｔｒと、液晶素子ＬＣと、保持容量素子Ｃとを備えている。ＴＦＴ素子Ｔｒは、例えばＭＯＳ−ＦＥＴ（Metal Oxide Semiconductor-Field Effect Transistor）により構成されるものであり、ゲートがゲート線Ｇに接続され、ソースがデータ線Ｄに接続され、ドレインが液晶素子ＬＣの一端と保持容量素子Ｃの一端に接続されている。液晶素子ＬＣは、一端がＴＦＴ素子Ｔｒのドレインに接続され、他端は接地されている。保持容量素子Ｃは、一端がＴＦＴ素子Ｔｒのドレインに接続され、他端は保持容量線Ｃｓに接続されている。ゲート線Ｇはゲートドライバ５２に接続され、データ線Ｄはデータドライバ５３に接続されている。
【００２６】
（バリア部１０およびバリア駆動部４３）
図４は、バリア部１０の一構成例を表すものであり、（Ａ）はバリア部１０の平面図を示し、（Ｂ）は（Ａ）のバリア部１０のＩＶ−ＩＶ矢視方向の断面構成を示す。なお、この例では、バリア部１０はノーマリーブラック動作を行うものとする。つまり、バリア部１０は、駆動されていない状態では光を遮断するものとする。
【００２７】
バリア部１０は、光を透過または遮断する液晶バリア１１Ｌ，１１Ｒを有している。液晶バリア１１Ｌ，１１Ｒは、垂直方向Ｙに延在するように設けられるとともに、水平方向Ｘに交互に配置されている。これらの液晶バリア１１Ｌ，１１Ｒは、透過状態（開状態）と遮断状態（閉状態）との間で時分割的に切り換わるように動作（開閉動作）するものである。
【００２８】
バリア部１０は、図４（Ｂ）に示したように、例えばガラス等からなる透明基板１３と透明基板１６との間に液晶層１９を備えたものである。この例では、透明基板１３が光入射側、透明基板１６が光出射側に配置されている。透明基板１３の液晶層１９側の面、および透明基板１６の液晶層１９側の面には、例えばＩＴＯなどからなる透明電極層１５，１７がそれぞれ形成されている。これらの透明電極層１５，１７の液晶層１９側の面には、図示しない配向膜が形成されている。液晶層１９は、例えば、ＶＡ（垂直配向）モードの液晶が用いられる。透明基板１３の光入射側および透明基板１６の光出射側には、偏光板１４，１８が貼り合わせられている。
【００２９】
透明電極層１５は、複数の透明電極１２Ｌ，１２Ｒを有している。そして、透明電極層１７は、各透明電極１２Ｌ，１２Ｒに共通の電極として設けられている。この例では、透明電極層１７には０Ｖが印加されている。透明電極層１５の透明電極１２Ｌと、液晶層１９および透明電極層１７におけるその透明電極１２Ｌに対応する部分とは、液晶バリア１１Ｌを構成している。同様に、透明電極層１５の透明電極１２Ｒと、液晶層１９および透明電極層１７におけるその透明電極１２Ｒに対応する部分とは、液晶バリア１１Ｒを構成している。このような構成により、バリア部１０では、透明電極１２Ｌ，１２Ｒに電圧を選択的に印加し、液晶層１９がその電圧に応じた液晶配向になることにより、液晶バリア１１Ｌ，１１Ｒ毎の開閉動作を行うことができるようになっている。
【００３０】
なお、この例では、バリア部１０はノーマリーブラック動作を行うものとしたが、これに限定されるものではなく、これに代えて、例えばノーマリーホワイト動作を行うものであってもよい。
【００３１】
図５は、バリア部１０の液晶バリア１１Ｌ，１１Ｒと、表示部２０の画素Ｐixの配置との関係を表すものである。図５に示したように、液晶バリア１１Ｌは、表示部２０における領域ＤＬと対応するように配置されており、同様に、液晶バリア１１Ｒは、表示部２０における領域ＤＲと対応するように配置されている。すなわち、表示部２０は、液晶バリア１１Ｌに対応する領域ＤＬにおいて左眼画像ＰＬを表示するとともに、液晶バリア１１Ｒに対応する領域ＤＲにおいて右眼画像ＰＲを表示するようになっている。
【００３２】
ここで、領域ＤＬ，ＤＲは、本開示における「サブ領域」の一具体例に対応する。
【００３３】
［動作および作用］
続いて、本実施の形態の表示システム１００の動作および作用について説明する。
【００３４】
（全体動作概要）
まず、図１を参照して、表示システム１００の全体動作概要を説明する。制御部４１は、外部より供給される映像信号Ｓdispに基づいて、バックライト駆動部４２、表示駆動部５０、バリア駆動部４３、およびシャッタ制御部４４に対してそれぞれ制御信号を供給し、これらがお互いに同期して動作するように制御する。バックライト駆動部４２は、バックライト３０を駆動する。バックライト３０は、面発光した光を表示部２０に対して射出する。表示駆動部５０は、表示部２０を駆動する。表示部２０は、バックライト３０から射出した光を変調することにより表示を行う。バリア駆動部４３は、バリア部１０を駆動する。バリア部１０は、バックライト３０から射出し表示部２０を透過した光を透過（開状態）または遮断（閉状態）する。シャッタ制御部４４は、シャッタ制御信号ＣＴＬを生成するとともに、そのシャッタ制御信号ＣＴＬをシャッタ眼鏡６０に対して供給する。シャッタ眼鏡６０の左眼シャッタ６Ｌおよび右眼シャッタ６Ｒは、そのシャッタ制御信号ＣＴＬに基づいて開閉動作する。
【００３５】
図６は、表示システム１００の全体動作を模式的に表すものである。図６において、（Ａ）は左眼画像ＰＬを表示したときの動作を示し、（Ｂ）は右眼画像ＰＲを表示したときの動作を示す。表示装置１が左眼画像ＰＬを表示しているとき、シャッタ眼鏡６０では、図６（Ａ）に示したように、左眼シャッタ６Ｌが開状態となるとともに、右眼シャッタ６Ｒが閉状態となる。このとき、観察者９は左眼９Ｌで左眼画像ＰＬを見る。一方、表示装置１が右眼画像ＰＲを表示しているとき、シャッタ眼鏡６０では、図６（Ｂ）に示したように、左眼シャッタ６Ｌが閉状態となるとともに、右眼シャッタ６Ｒが開状態となる。このとき、観察者９は右眼９Ｒで右眼画像ＰＲを見る。これらの動作を交互に繰り返すと、左眼画像ＰＬと右眼画像ＰＲとの間には視差があるため、観察者９は、これらの一連の画像からなる映像を奥行きのある立体的な映像として認識することができる。
【００３６】
（詳細動作）
次に、表示システム１００の詳細動作について説明する。
【００３７】
図７は、表示システム１００の一動作例を表すものであり、（Ａ），（Ｂ）は表示部２０における領域ＤＬ，ＤＲの動作をそれぞれ示し、（Ｃ），（Ｄ）はバリア部１０における液晶バリア１１Ｌ，１１Ｒの動作をそれぞれ示し、（Ｅ）はバックライト３０の動作を示し、（Ｆ），（Ｇ）はシャッタ眼鏡６０における左眼シャッタ６Ｌおよび右眼シャッタ６Ｒの動作をそれぞれ示し、（Ｈ），（Ｉ）は観察者の左眼視認映像ＵＬおよび右眼視認映像ＵＲをそれぞれ示す。図７（Ａ），（Ｂ）において、“ＰＬ”は、表示部２０が左眼画像ＰＬを表示している状態を示し、“ＰＲ”は、表示部２０が右眼画像ＰＲを表示している状態を示している。なお、例えば“ＰＬ（ｎ）”の“ｎ”は、フレーム画像を区別するために説明の便宜上導入したインデックスである。
【００３８】
表示システム１００では、表示装置１は、液晶バリア１１Ｌ，１１Ｒが独立して開閉動作することにより、左眼画像ＰＬおよび右眼画像ＰＲを時分割的に表示する。そして、シャッタ眼鏡６０の左眼シャッタ６Ｌおよび右眼シャッタ６Ｒが、左眼画像ＰＬおよび右眼画像ＰＲの表示に同期して開閉動作することにより、観察者は、一連の左眼画像ＰＬを左眼視認映像ＵＬとして視認するとともに、一連の右眼画像ＰＲを右眼視認映像ＵＲとして視認する。以下に、この動作の詳細を説明する。
【００３９】
表示装置１では、まず、タイミングｔ０〜ｔ４の期間において、表示部２０が、４つ分のフレーム期間Ｔ０に対応する期間（繰返表示期間Ｔ１）にわたり、同じ左眼画像ＰＬ（ｎ）を領域ＤＬに繰り返し表示する（図７（Ａ））。ここで、繰返表示期間Ｔ１は、例えば、１６．７［msec］（＝１／６０［Ｈｚ］）であり、フレーム期間Ｔ０は、４．２［msec］（＝Ｔ１／４）である。すなわち、この例では、表示装置１はいわゆる４倍速の液晶表示装置である。そして、タイミングｔ２〜ｔ４の期間において、液晶バリア１１Ｌが開状態（透過状態）になる（図７（Ｃ））。なお、この例では、液晶バリア１１Ｌの液晶分子の応答特性を考慮して、タイミングｔ２から液晶バリア１１Ｌを開状態にしているが、これに限定されるものではなく、応答速度が速い場合には、例えばタイミングｔ３から開状態にしてもよい。そして、タイミングｔ３〜ｔ４の期間において、バックライト３０がオン状態になる（図７（Ｅ））。これにより、表示装置１は、タイミングｔ３〜ｔ４の期間において、左眼画像ＰＬ（ｎ）を表示する。
【００４０】
一方、シャッタ眼鏡６０では、左眼シャッタ６Ｌが、タイミングｔ２〜ｔ４の期間において開状態（透過状態）になる（図７（Ｆ））。なお、この例では、液晶バリア１１Ｌの場合と同様に、左眼シャッタ６Ｌにおける液晶分子の応答特性を考慮して、タイミングｔ２から左眼シャッタ６Ｌを開状態にしているが、これに限定されるものではなく、応答速度が速い場合には、例えばタイミングｔ３から開状態にしてもよい。これにより、観察者は、タイミングｔ３〜ｔ４の期間において、左眼画像ＰＬ（ｎ）を視認することができる（図７（Ｈ））。
【００４１】
同様に、表示装置１では、タイミングｔ２〜ｔ６の期間において、表示部２０が、４つ分のフレーム期間Ｔ０に対応する期間（繰返表示期間Ｔ１）にわたり、同じ右眼画像ＰＲ（ｎ）を領域ＤＲに繰り返し表示する（図７（Ｂ））。そして、タイミングｔ４〜ｔ６の期間において、液晶バリア１１Ｒが開状態（透過状態）になり、タイミングｔ５〜ｔ６の期間において、バックライト３０がオン状態になる（図７（Ｄ），（Ｅ））。これにより、表示装置１は、タイミングｔ５〜ｔ６の期間において、右眼画像ＰＲ（ｎ）を表示する。一方、シャッタ眼鏡６０では、右眼シャッタ６Ｒが、タイミングｔ４〜ｔ６の期間において開状態（透過状態）になる（図７（Ｇ））。これにより、観察者は、タイミングｔ５〜ｔ６の期間において、右眼画像ＰＲ（ｎ）を視認することができる（図７（Ｉ））。
【００４２】
以上の動作を繰り返すことにより、観察者は、一連の左眼画像ＰＬを左眼視認映像ＵＬとして視認するとともに（図７（Ｈ））、一連の右眼画像ＰＲを右眼視認映像ＵＲとして視認することにより（図７（Ｉ））、表示システム１００に表示される映像を立体的な映像として視認することができる。
【００４３】
表示システム１００では、同一の左眼画像ＰＬおよび右眼画像ＰＲを、４つ分のフレーム期間Ｔ０に対応する期間（繰返表示期間Ｔ１）にわたり繰り返して表示し、そのうちの最後のフレーム期間Ｔ０において、バックライト３０を点灯して、観察者がその画像を視認するようにしている。これにより、例えば、表示部２０の液晶素子ＬＣの応答特性が遅い場合でも、液晶素子ＬＣが十分に応答した後に、画像を観察者に視認させることができる。以下に、その詳細を説明する。
【００４４】
図８は、表示部２０における液晶素子ＬＣの応答特性を表すものであり、（Ａ）は表示部２０における領域ＤＬの動作を示し、（Ｂ）は領域ＤＬにおけるサブ画素ＳＰixの光の透過率Ｔを示し、（Ｃ）は左眼視認映像ＵＬを示す。なお、この例では、左眼画像ＰＬについて説明するが、右眼画像ＰＲについても同様である。
【００４５】
表示部２０は、タイミングｔ０において、左眼画像ＰＬ（ｎ）の表示を開始する（図８（Ａ））。このとき、表示部２０のサブ画素ＳＰixでは、液晶素子ＬＣの応答速度が遅い場合には、図８（Ｂ）に示したように、その光の透過率Ｔが応答するまでに、複数（この例では３つ分）のフレーム期間Ｔ０にわたるほどの応答時間τがかかってしまうおそれがある。しかしながら、この表示システム１００では、繰返表示期間Ｔ１のうちの最後のフレーム期間Ｔ０（タイミングｔ３〜ｔ４の期間）において、観察者が左眼画像ＰＬ（ｎ）を視認するようにしたので、液晶素子ＬＣが十分に応答した後に観察者がその画像を視認することができるため、画質の低下を抑えることができる。
【００４６】
（比較例）
次に、比較例と対比して、本実施の形態の作用を説明する。
【００４７】
図９は、本比較例に係る表示システム１００Ｒの一構成例を表すものである。表示システム１００Ｒは、表示装置１Ｒを備えている。表示装置１Ｒは、本実施の形態に係る表示装置１（図１）において、バリア部１０を省いたものである。この表示装置１Ｒは、バリア部を用いずに、左眼画像ＰＬおよび右眼画像ＰＲを時分割的に表示するものである。すなわち、本実施の形態に係る表示装置１は、表示部２０が、領域ＤＬ，ＤＲに左眼画像ＰＬおよび右眼画像ＰＲをそれぞれ表示するとともに、液晶バリア１１Ｌ，１１Ｒが独立して開閉動作することにより、この左眼画像ＰＬおよび右眼画像ＰＲを時分割的に表示したが、本比較例に係る表示装置１Ｒは、表示画面全面に左眼画像ＰＬおよび右眼画像ＰＲを時分割的に表示するものである。
【００４８】
図１０は、表示システム１００Ｒの一動作例を表すものであり、（Ａ）は表示部２０の動作を示し、（Ｂ）はバックライト３０の動作を示し、（Ｃ），（Ｄ）はシャッタ眼鏡６０における左眼シャッタ６Ｌおよび右眼シャッタ６Ｒの動作をそれぞれ示し、（Ｅ），（Ｆ）は観察者の左眼視認映像ＵＬおよび右眼視認映像ＵＲをそれぞれ示す。
【００４９】
表示装置１Ｒでは、まず、タイミングｔ１０〜ｔ１２の期間において、表示部２０が、２つ分のフレーム期間Ｔ０に対応する期間（繰返表示期間Ｔ１Ｒ）にわたり、同じ左眼画像ＰＬ（ｎ）を表示画面全面に繰り返し表示する（図１０（Ａ））。ここで、繰返表示期間Ｔ１Ｒは、例えば、８．３［msec］である。そして、タイミングｔ１１〜ｔ１２の期間において、バックライト３０がオン状態になる（図１０（Ｂ））。これにより、表示装置１Ｒは、タイミングｔ１１〜ｔ１２の期間において、左眼画像ＰＬ（ｎ）を表示する。一方、シャッタ眼鏡６０では、左眼シャッタ６Ｌが、タイミングｔ１０〜ｔ１２の期間において開状態（透過状態）になる（図１０（Ｃ））。これにより、観察者は、タイミングｔ１１〜ｔ１２の期間において、左眼画像ＰＬ（ｎ）を視認する（図１０（Ｅ））。
【００５０】
次に、表示装置１Ｒでは、タイミングｔ１２〜ｔ１４の期間において、表示部２０が、２つ分のフレーム期間Ｔ０に対応する期間（繰返表示期間Ｔ１Ｒ）にわたり、同じ右眼画像ＰＲ（ｎ）を表示画面全面に繰り返し表示する（図１０（Ａ））。そして、タイミングｔ１３〜ｔ１４の期間において、バックライト３０がオン状態になる（図１０（Ｂ））。これにより、表示装置１Ｒは、タイミングｔ１３〜ｔ１４の期間において、右眼画像ＰＲ（ｎ）を表示する。一方、シャッタ眼鏡６０では、右眼シャッタ６Ｒが、タイミングｔ１３〜ｔ１４の期間において開状態（透過状態）になる（図１０（Ｄ））。これにより、観察者は、タイミングｔ１３〜ｔ１４の期間において、右眼画像ＰＲ（ｎ）を視認する（図１０（Ｆ））。
【００５１】
本比較例に係る表示システム１００Ｒでは、同一の左眼画像ＰＬおよび右眼画像ＰＲを２つ分のフレーム期間Ｔ０に対応する期間（繰返表示期間Ｔ１Ｒ）にわたり繰り返して表示し、２番目のフレーム期間Ｔ０において、バックライト３０を点灯して、観察者がその画像を視認するようにしている。すなわち、本比較例に係る表示装置１００Ｒでは、本実施の形態に係る表示システム１００と比べ、画像の表示を開始してから観察者が画像を視認するまでの時間が短くなっている。これにより、例えば、表示部２０における液晶素子ＬＣの応答特性が遅い場合には、液晶素子ＬＣが十分に応答する前に、観察者が画像を視認することとなり、画像表示が安定するまでの過渡状態が表示されることになるため、画質が低下してしまう。また、表示システム１００Ｒでは、表示部２０は、左眼画像ＰＬと右眼画像ＰＲとを交互に表示しているため、左眼画像ＰＬと右眼画像ＰＲとが互いに混ざり合う、いわゆるクロストークが生じるおそれがある。具体的には、例えばタイミングｔ１０において左眼画像ＰＬの表示を開始した後、液晶素子ＬＣが十分に応答する前に、タイミングｔ１２において次の右眼画像ＰＲの表示を開始する場合には、右眼画像ＰＲを表示する際の液晶素子ＬＣの状態が、直前の左眼画像ＰＬを表示した際の液晶素子ＬＣの状態の影響を受けるおそれがある。このようにしてクロストークが生じた場合には、さらに画質が低下してしまう。
【００５２】
一方、本実施の形態に係る表示システム１００では、バリア部１０を設け、左眼画像ＰＬを、液晶バリア１１Ｌに対応する領域ＤＬに表示するとともに、右眼画像ＰＲを、液晶バリア１１Ｒに対応する領域ＤＲに表示するようにしている。すなわち、左眼画像ＰＬと右眼画像ＰＲとを、互いに異なる領域ＤＬ，ＤＲに表示するようにしたので、表示部２０の液晶素子ＬＣの応答特性に起因するクロストークを低減することができる。さらに、同一の左眼画像ＰＬおよび右眼画像ＰＲを繰り返し表示する期間（繰返表示期間Ｔ１）を長くすることができるため、画像の表示を開始してから観察者が画像を視認するまでの時間をかせぐことができる。これにより、液晶素子ＬＣが十分に応答した後に観察者が画像を視認することができるため、画質の低下を抑えることができる。
【００５３】
なお、表示システム１００では、左眼画像ＰＬと右眼画像ＰＲとを、表示部２０における互いに異なる領域ＤＬ，ＤＲに表示する。つまり、左眼画像ＰＬおよび右眼画像ＰＲの水平方向Ｘの画素数は、表示部２０の表示画面全体における水平方向Ｘの画素数の半分程度であることから、表示画像の水平方向Ｘの解像度が低下する。よって、表示システム１００は、このような解像度の低下が問題にならない用途に適用することができる。また、近年、高い解像度の表示パネルが開発されており、これを用いることにより、この解像度の低下に起因する画質の低下を抑えることができる。具体的には、近年、例えば、フルＨＤ（High Definition）表示用の表示パネル（1920ピクセル×1080ピクセル）の４倍の解像度を有する、いわゆる４ｋ２ｋの表示パネル（3840ピクセル×2160ピクセル）が開発されており、この高解像度の表示パネルを表示システム１００に適用することにより、左眼画像ＰＬおよび右眼画像ＰＲをそれぞれＨＤの分解能で表示することが可能となる。
【００５４】
［効果］
以上のように本実施の形態では、左眼画像と右眼画像とを、表示部において互いに異なる領域に表示したので、クロストークを低減することができる。
【００５５】
また、本実施の形態では、同一の左眼画像ＰＬおよび右眼画像ＰＲを繰り返し表示する期間を長くしたので、画質の低下を抑えることができる。
【００５６】
［変形例１−１］
上記実施の形態では、表示装置１は４倍速の液晶表示装置としたが、これに限定されるものではなく、例えば、図１１に示したように、２倍速であってもよいし、また、例えば、図１２に示したように、６倍速であってもよい。図１１に示した、２倍速の表示装置を備えた表示システムでは、フレーム期間Ｔ０Ａは、例えば、８．３［msec］（＝１／２／６０［Hz］）であり、繰返表示期間Ｔ１（例えば、１６．７［msec］＝１／６０［Hz］）において、左眼画像ＰＬおよび右眼画像ＰＲがそれぞれ２回繰り返して表示される。また、図１２に示した、６倍速の表示装置を備えた表示システムでは、フレーム期間Ｔ０Ｂは、２．８［msec］（＝１／６／６０［Hz］）であり、繰返表示期間Ｔ１において、左眼画像ＰＬおよび右眼画像ＰＲがそれぞれ６回繰り返して表示される。なお、図１２では、繰返表示期間Ｔ１の６つのフレーム期間Ｔ０Ｂのうちの最後のフレーム期間Ｔ０Ｂにおいてバックライト３０を点灯するようにしたが、これに限定されるものではなく、例えば、図１３に示したように、繰返表示期間Ｔ１の６つのフレーム期間Ｔ０Ｂのうちの最後の２つのフレーム期間Ｔ０Ｂにおいてバックライト３０を点灯するようにしてもよい。これらの場合でも、上記実施の形態に係る表示システム１００の場合と同様の効果を得ることができる。
【００５７】
＜２．第２の実施の形態＞
次に、第２の実施の形態に係る表示システム２００について説明する。本実施の形態は、左眼画像ＰＬおよび右眼画像ＰＲとともに、黒画像を表示するものである。すなわち、本実施の形態に係る表示システム２００は、図１において、黒画像を生成する制御部４５を用いて表示装置２を構成したものである。その他の構成は、上記第１の実施の形態（図１）と同様である。なお、上記第１の実施の形態に係る表示システム１００と実質的に同一の構成部分には同一の符号を付し、適宜説明を省略する。
【００５８】
図１４は、表示システム２００の一動作例を表すものであり、（Ａ），（Ｂ）は表示部２０における領域ＤＬ，ＤＲの動作をそれぞれ示し、（Ｃ），（Ｄ）はバリア部１０における液晶バリア１１Ｌ，１１Ｒの動作をそれぞれ示し、（Ｅ）はバックライト３０の動作を示し、（Ｆ），（Ｇ）はシャッタ眼鏡６０における左眼シャッタ６Ｌおよび右眼シャッタ６Ｒの動作をそれぞれ示し、（Ｈ），（Ｉ）は観察者の左眼視認映像ＵＬおよび右眼視認映像ＵＲをそれぞれ示す。図１４（Ａ），（Ｂ）において、“Ｂｋ”は、表示部２０が黒画像を表示している状態を示している。
【００５９】
表示装置２では、まず、タイミングｔ５０〜ｔ５３の期間において、表示部２０が、３つ分のフレーム期間Ｔ０に対応する期間にわたり、制御部４５が生成した黒画像を領域ＤＬに繰り返し表示した後、タイミングｔ５３〜ｔ５４の期間において、左眼画像ＰＬ（ｎ）を領域ＤＬに表示する（図１４（Ａ））。そして、タイミングｔ５２〜ｔ５４の期間において、液晶バリア１１Ｌが開状態（透過状態）になり、タイミングｔ５３〜ｔ５４の期間において、バックライト３０がオン状態になる（図１４（Ｃ），（Ｅ））。これにより、表示装置２は、タイミングｔ５３〜ｔ５４の期間において、左眼画像ＰＬ（ｎ）を表示する。一方、シャッタ眼鏡６０では、左眼シャッタ６Ｌが、タイミングｔ５２〜ｔ５４の期間において開状態（透過状態）になる（図１４（Ｆ））。これにより、観察者は、タイミングｔ５３〜ｔ５４の期間において、左眼画像ＰＬ（ｎ）を視認することができる（図１４（Ｈ））。
【００６０】
同様に、表示装置２では、タイミングｔ５２〜ｔ５５の期間において、表示部２０が、３つ分のフレーム期間Ｔ０に対応する期間にわたり、制御部４５が生成した黒画像を領域ＤＲに繰り返し表示した後、タイミングｔ５５〜ｔ５６の期間において、右眼画像ＰＬ（ｎ）を領域ＤＲに表示する（図１４（Ｂ））。そして、タイミングｔ５４〜ｔ５６の期間において、液晶バリア１１Ｒが開状態（透過状態）になり、タイミングｔ５３〜ｔ５４の期間において、バックライト３０がオン状態になる（（図１４（Ｄ），（Ｅ））。これにより、表示装置２は、タイミングｔ５５〜ｔ５６の期間において、右眼画像ＰＲ（ｎ）を表示する。一方、シャッタ眼鏡６０では、右眼シャッタ６Ｒが、タイミングｔ５４〜ｔ５６の期間において開状態（透過状態）になる（図１４（Ｇ））。これにより、観察者は、タイミングｔ５５〜ｔ５６の期間において、右眼画像ＰＲ（ｎ）を視認することができる（図１４（Ｉ））。
【００６１】
以上の動作を繰り返すことにより、観察者は、一連の左眼画像ＰＬを左眼視認映像ＵＬとして視認するとともに（図１４（Ｈ））、一連の右眼画像ＰＲを右眼視認映像ＵＲとして視認することにより（図１４（Ｉ））、表示システム２００に表示される映像を立体的な映像として視認することができる。
【００６２】
図１５は、表示部２０における液晶素子ＬＣの応答特性を表すものであり、（Ａ）は表示部２０における領域ＤＬの動作を示し、（Ｂ）は領域ＤＬにおけるサブ画素ＳＰixの光の透過率Ｔを示す。
【００６３】
表示部２０は、タイミングｔ５３〜ｔ５４の期間において、左眼画像ＰＬ（ｎ）の表示を行い、タイミングｔ５４〜ｔ５７の期間において、黒画像の表示を行う（図１５（Ａ））。このタイミングｔ５４〜ｔ５７の期間において、表示部２０のサブ画素ＳＰixでは、応答時間τを経て液晶素子ＬＣが十分に応答し、光の透過率Ｔが十分に低くなる。そして、タイミングｔ５７において、光の透過率Ｔが十分に低くなった状態から、次の左眼画像ＰＬ（ｎ＋１）の表示を行う。すなわち、画像表示を開始するタイミングでは、常に、光の透過率Ｔが十分に低くなっている。このように、表示システム２００では、黒画像を表示するようにしたので、常に同じ状態から画像表示を開始するため、ある画像の表示が、次の画像表示に影響を与えるおそれを低減することができ、画質の低下を抑えることができる。
【００６４】
以上のように本実施の形態では、黒画像を表示するようにしたので、画質の低下を低減することができる。その他の効果は、上記第１の実施の形態の場合と同様である。
【００６５】
［変形例２−１］
上記実施の形態では、表示部２０が、左眼画像ＰＬまたは右眼画像ＰＲの表示を１つ分のフレーム期間Ｔ０において行うようにしたが、これに限定されるものではなく、例えば、図１６に示したように、２つ分のフレーム期間において繰り返し表示してもよい。
【００６６】
［変形例２−２］
上記実施の形態では、表示部２０を液晶表示素子により構成したが、これに限定されるものではなく、これに代えて、自発光型の表示素子により構成してもよい。以下にその詳細を説明する。
【００６７】
図１７は、本変形例に係る表示システム２００Ａの一構成例を表すものである。表示システム２００Ａは、表示装置２Ａを備えている。表示装置２Ａは、表示部２０Ａと、制御部４５Ａとを備えている。
【００６８】
表示部２０Ａは、自発光型の表示素子により構成したものであり、例えばプラズマ表示装置である。制御部４５Ａは、外部より供給される映像信号Ｓdispに基づいて、表示駆動部５０、バリア駆動部４３、およびシャッタ制御部４４を制御するものである。すなわち、表示装置２Ａは、表示部２０Ａが自発光型の表示素子であるため、上記実施の形態に係る表示装置２とは異なり、バックライトおよびバックライト駆動部を省いている。
【００６９】
図１８は、表示システム２００Ａの一動作例を表すものであり、（Ａ），（Ｂ）は表示部２０における領域ＤＬ，ＤＲの動作をそれぞれ示し、（Ｃ），（Ｄ）はバリア部１０における液晶バリア１１Ｌ，１１Ｒの動作をそれぞれ示し、（Ｅ），（Ｆ）はシャッタ眼鏡６０における左眼シャッタ６Ｌおよび右眼シャッタ６Ｒの動作をそれぞれ示し、（Ｇ），（Ｈ）は観察者の左眼視認映像ＵＬおよび右眼視認映像ＵＲをそれぞれ示す。
【００７０】
表示装置２Ａでは、タイミングｔ７０〜ｔ７３の期間において、表示部２０Ａが、３つ分のフレーム期間Ｔ０に対応する期間にわたり、制御部４５Ａが生成した黒画像を領域ＤＬに繰り返し表示した後、タイミングｔ７３〜ｔ７４の期間において、左眼画像ＰＬ（ｎ）を領域ＤＬに表示する（図１８（Ａ））。そして、タイミングｔ７２〜ｔ７４の期間において、液晶バリア１１Ｌおよび左眼シャッタ６Ｌが開状態（透過状態）になり（図１８（Ｃ），（Ｅ））、観察者は、タイミングｔ７３〜ｔ７４の期間において、左眼画像ＰＬ（ｎ）を視認する（図１８（Ｇ））。
【００７１】
同様に、表示装置２Ａでは、タイミングｔ７２〜ｔ７５の期間において、表示部２０Ａが、３つ分のフレーム期間Ｔ０に対応する期間にわたり、制御部４５Ａが生成した黒画像を領域ＤＲに繰り返し表示した後、タイミングｔ７５〜ｔ７６の期間において、右眼画像ＰＲ（ｎ）を領域ＤＲに表示する（図１８（Ｂ））。そして、タイミングｔ７４〜ｔ７６の期間において、液晶バリア１１Ｒおよび右眼シャッタ６Ｒが開状態（透過状態）になり（図１８（Ｄ），（Ｆ））、観察者は、タイミングｔ７５〜ｔ７６の期間において、右眼画像ＰＲ（ｎ）を視認する（図１８（Ｈ））。
【００７２】
この場合でも、上記実施の形態に係る表示システム２００の場合と同様の効果を得ることができる。
【００７３】
［変形例２−３］
また、上記実施の形態では、表示装置２は４倍速の液晶表示装置としたが、これに限定されるものではなく、変形例１−１と同様に、例えば、２倍速や６倍速であってもよい。
【００７４】
＜３．第３の実施の形態＞
次に、第３の実施の形態に係る表示システム３００について説明する。本実施の形態は、上記第１の実施の形態に係る表示システム１００を、複数の観察者が異なる映像を同時に観察することができるマルチビューシステムに適用したものである。なお、上記第１の実施の形態に係る表示システム１００と実質的に同一の構成部分には同一の符号を付し、適宜説明を省略する。以下、二人の観察者９Ａ，９Ｂが映像を観察するマルチビューシステムを例に説明する。
【００７５】
図１９は、本実施の形態に係る表示システム３００の一構成例を表すものである。表示システム３００は、表示装置３と、２つのシャッタ眼鏡６０Ａ，６０Ｂとを備えている。表示装置３は、映像信号Ｓdisp2に基づいて、観察者９Ａが見る画像ＰＡ、および観察者９Ｂが見る画像ＰＢを表示するものである。ここで、映像信号Ｓdisp2は、画像ＰＡおよび画像ＰＢの画像情報を含むものである。シャッタ眼鏡６０Ａ，６０Ｂは、観察者９Ａ，９Ｂがそれぞれ身につけるものである。
【００７６】
表示装置３は、シャッタ制御部４６を有している。シャッタ制御部４６は、２つのシャッタ制御信号ＣＴＬＡ，ＣＴＬＢを生成し、シャッタ眼鏡６０Ａに対してシャッタ制御信号ＣＴＬＡを供給するとともに、シャッタ眼鏡６０Ｂに対してシャッタ制御信号ＣＴＬＢを供給するものである。シャッタ眼鏡６０Ａの左眼シャッタ６ＡＬおよび右眼シャッタ６ＡＲは、シャッタ制御信号ＣＴＬＡに基づいて、開閉動作するものである。その際、左眼シャッタ６ＡＬおよび右眼シャッタ６ＡＲは、同時に開閉動作するようになっている。同様に、シャッタ眼鏡６０Ｂの左眼シャッタ６ＢＬおよび右眼シャッタ６ＢＲは、シャッタ制御信号ＣＴＬＢに基づいて、開閉動作するものである。その際、左眼シャッタ６ＢＬおよび右眼シャッタ６ＢＲは、同時に開閉動作するようになっている。
【００７７】
図２０は、表示システム３００の全体動作を模式的に表すものである。図２０において、（Ａ）は観察者９Ａのための画像ＰＡを表示したときの動作を示し、（Ｂ）は観察者９Ｂのための画像９Ｂを表示したときの動作を示す。表示装置３が画像ＰＡを表示している場合、図２０（Ａ）に示したように、シャッタ眼鏡６０Ａの左眼シャッタ６ＡＬおよび右眼シャッタ６ＡＲが開状態となるとともに、シャッタ眼鏡６０Ｂの左眼シャッタ６ＢＬおよび右眼シャッタ６ＢＲが閉状態となる。このとき、観察者９Ａが画像ＰＡを見ることとなる。一方、表示装置３が画像ＰＢを表示している場合、図２０（Ｂ）に示したように、シャッタ眼鏡６０Ａの左眼シャッタ６ＡＬおよび右眼シャッタ６ＡＲが閉状態となるとともに、シャッタ眼鏡６０Ｂの左眼シャッタ６ＢＬおよび右眼シャッタ６ＢＲが開状態となる。このとき、観察者９Ｂが画像ＰＢを見ることとなる。これらの動作を交互に繰り返すことにより、画像ＰＡからなる映像を観察者９Ａが見るとともに、画像ＰＢからなる映像を観察者９Ｂが見ることができ、１つの表示装置に表示される複数の映像のそれぞれを複数の観察者が見ることができる、マルチビューシステムを実現することができる。
【００７８】
図２１は、表示システム３００の一動作例を表すものであり、（Ａ），（Ｂ）は表示部２０における領域ＤＬ，ＤＲの動作をそれぞれ示し、（Ｃ），（Ｄ）はバリア部１０における液晶バリア１１Ｌ，１１Ｒの動作をそれぞれ示し、（Ｅ）はバックライト３０の動作を示し、（Ｆ），（Ｇ）はシャッタ眼鏡６０Ａ，６０Ｂの動作をそれぞれ示し、（Ｈ），（Ｉ）は観察者９Ａの視認映像ＵＡおよび観察者９Ｂの視認映像ＵＢをそれぞれ示す。図２１（Ａ），（Ｂ）において、“ＰＡ”は、表示部２０が画像ＰＡを表示している状態を示し、“ＰＢ”は、表示部２０が画像ＰＢを表示している状態を示している。
【００７９】
表示装置３では、まず、タイミングｔ８０〜ｔ８４の期間において、表示部２０が、４つ分のフレーム期間Ｔ０に対応する期間（繰返表示期間Ｔ１）にわたり、同じ画像ＰＡ（ｎ）を領域ＤＬに繰り返し表示する（図２１（Ａ））。そして、タイミングｔ８２〜ｔ８４の期間において、液晶バリア１１Ｌが開状態（透過状態）になり、タイミングｔ８３〜ｔ８４の期間において、バックライト３０がオン状態になる（図２１（Ｃ），（Ｅ））。これにより、表示装置３は、画像ＰＡ（ｎ）を、タイミングｔ８３〜ｔ８４の期間において表示する。一方、シャッタ眼鏡６０Ａでは、左眼シャッタ６ＡＬおよび右眼シャッタ６ＡＲが、タイミングｔ８２〜ｔ８４の期間において開状態（透過状態）になる（図２１（Ｆ））。これにより、観察者は、タイミングｔ８３〜ｔ８４の期間において、画像ＰＡ（ｎ）を視認することができる（図２１（Ｈ））。
【００８０】
同様に、表示装置３では、まず、タイミングｔ８２〜ｔ８６の期間において、表示部２０が、４つ分のフレーム期間Ｔ０に対応する期間（繰返表示期間Ｔ１）にわたり、同じ画像ＰＢ（ｎ）を領域ＤＲに繰り返し表示する（図２１（Ｂ））。そして、タイミングｔ８４〜ｔ８６の期間において、液晶バリア１１Ｒが開状態（透過状態）になり、タイミングｔ５〜ｔ６の期間において、バックライト３０がオン状態になる（図２１（Ｄ），（Ｅ））。これにより、表示装置３は、画像ＰＢ（ｎ）を、タイミングｔ８５〜ｔ８６の期間において表示する。一方、シャッタ眼鏡６０Ｂでは、左眼シャッタ６ＢＬおよび右眼シャッタ６ＢＲが、タイミングｔ８４〜ｔ８６の期間において開状態（透過状態）になる（図２１（Ｇ））。これにより、観察者は、タイミングｔ８５〜ｔ８６の期間において、画像ＰＢ（ｎ）を視認することができる（図２１（Ｉ））。
【００８１】
以上の動作を繰り返すことにより、観察者９Ａは、一連の画像ＰＡを視認映像ＵＡとして視認し（図２１（Ｈ））、同時に、観察者９Ｂは、一連の画像ＰＢを視認映像ＵＢとして視認することができる（図２１（Ｉ））。
【００８２】
以上のように本実施の形態では、複数のシャッタ眼鏡を備え、画像ＰＡ，ＰＢを表示するとともに、各シャッタ眼鏡の左眼シャッタと右眼シャッタとを同時に開閉動作するようにしたので、マルチビューシステムを実現することができる。その他の効果は、上記第１の実施の形態の場合と同様である。
【００８３】
［変形例３−１］
上記実施の形態では、表示システム１００をマルチビューシステムに適用したが、これに限定されるものではなく、これに代えて、例えば、表示システム２００をマルチビューシステムに適用してもよい。
【００８４】
以上、いくつかの実施の形態および変形例を挙げて本技術を説明したが、本技術はこれらの実施の形態等には限定されず、種々の変形が可能である。
【００８５】
例えば、上記の各実施の形態では、表示部２０に領域ＤＬ，ＤＲを設けるとともに、バリア部１０のこれらに対応する位置に液晶バリア１１Ｌ，１１Ｒを設けるようにしたが、これに限定されるものではなく、領域および液晶バリアをより多く設けてもよい。以下に、上記第１の実施の形態に係る表示システム１００に本変形例を適用した場合について説明する。
【００８６】
図２２は、本変形例に係るバリア部７０の液晶バリアと、表示部２０の画素Ｐixの配置との関係を表すものである。図２２に示したように、バリア部７０は、液晶バリア１１Ｌ１，１１Ｒ１，１１Ｌ２，１１Ｒ２を有している。これらの液晶バリア１１Ｌ１，１１Ｒ１，１１Ｌ２，１１Ｒ２は、垂直方向Ｙに延在するように設けられるとともに、水平方向Ｘにこの順で巡回するように配置されている。表示部２０には、これらの液晶バリア１１Ｌ１，１１Ｒ１，１１Ｌ２，１１Ｒ２に対応する位置に、領域ＤＬ１，ＤＲ１，ＤＬ２，ＤＲ２が設けられている。表示部２０は、領域ＤＬ１，ＤＬ２において左眼画像ＰＬを表示するとともに、領域ＤＲ１，ＤＲ２おいて右眼画像ＰＲを表示するようになっている。
【００８７】
図２３は、本変形例に係る表示システムの一動作例を表すものであり、（Ａ）〜（Ｄ）は領域ＤＬ１，ＤＲ１，ＤＬ２，ＤＲ２の動作をそれぞれ示し、（Ｅ）〜（Ｈ）はバリア部１０における液晶バリア１１Ｌ１，１１Ｒ１，１１Ｌ２，１１Ｒ２の動作をそれぞれ示し、（Ｉ）はバックライト３０の動作を示し、（Ｊ），（Ｋ）は左眼シャッタ６Ｌおよび右眼シャッタ６Ｒの動作をそれぞれ示し、（Ｌ），（Ｍ）は観察者の左眼視認映像ＵＬおよび右眼視認映像ＵＲをそれぞれ示す。
【００８８】
表示装置１では、まず、タイミングｔ９０〜ｔ９８の期間において、表示部２０が、８つ分のフレーム期間Ｔ０に対応する期間にわたり、同じ左眼画像ＰＬ（ｎ）を領域ＤＬ１に繰り返し表示する（図２３（Ａ））。フレーム期間Ｔ０は、４．２［msec］（＝１／４／６０［Ｈｚ］）である。すなわち、この例では、表示装置１はいわゆる４倍速の液晶表示装置である。そして、タイミングｔ９６〜ｔ９８の期間において、液晶バリア１１Ｌ１が開状態（透過状態）になり、タイミングｔ９７〜ｔ９８の期間において、バックライト３０がオン状態になる（図２３（Ｅ），（Ｉ））。これにより、表示装置１は、左眼画像ＰＬ（ｎ）を、タイミングｔ９７〜ｔ９８の期間において表示する。一方、シャッタ眼鏡６０では、左眼シャッタ６Ｌが、タイミングｔ９６〜ｔ９８の期間において開状態（透過状態）になる（図２３（Ｊ））。これにより、観察者は、タイミングｔ９７〜ｔ９８の期間において、左眼画像ＰＬ（ｎ）を視認することができる（図２３（Ｌ））。
【００８９】
同様に、表示装置１では、タイミングｔ９２〜ｔ１００の期間において、表示部２０が、８つ分のフレーム期間Ｔ０に対応する期間にわたり、同じ右眼画像ＰＲ（ｎ）を領域ＤＲ１に繰り返し表示する（図２３（Ｂ））。そして、タイミングｔ９８〜ｔ１００の期間において、液晶バリア１１Ｒ１が開状態（透過状態）になり、タイミングｔ９９〜ｔ１００の期間において、バックライト３０がオン状態になる（図２３（Ｆ），（Ｉ））。これにより、表示装置１は、右眼画像ＰＬ（ｎ）を、タイミングｔ９９〜ｔ１００の期間において表示する。一方、シャッタ眼鏡６０では、右眼シャッタ６Ｒが、タイミングｔ９８〜ｔ１００の期間において開状態（透過状態）になる（図２３（Ｋ））。これにより、観察者は、タイミングｔ９９〜ｔ１００の期間において、右眼画像ＰＲ（ｎ）を視認することができる（図２３（Ｍ））。
【００９０】
同様に、表示装置１では、タイミングｔ９４〜ｔ１０２の期間において、表示部２０が、８つ分のフレーム期間Ｔ０に対応する期間にわたり、同じ左眼画像ＰＬ（ｎ＋１）を領域ＤＬ２に繰り返し表示する（図２３（Ｃ））。そして、タイミングｔ１００〜ｔ１０２の期間において、液晶バリア１１Ｌ２が開状態（透過状態）になり、タイミングｔ１０１〜ｔ１０２の期間において、バックライト３０がオン状態になる（図２３（Ｇ），（Ｉ））。これにより、表示装置１は、左眼画像ＰＬ（ｎ＋１）を、タイミングｔ１０１〜ｔ１０２の期間において表示する。一方、シャッタ眼鏡６０では、左眼シャッタ６Ｌが、タイミングｔ１００〜ｔ１０２の期間において開状態（透過状態）になる（図２３（Ｊ））。これにより、観察者は、タイミングｔ１０１〜ｔ１０２の期間において、左眼画像ＰＬ（ｎ＋１）を視認することができる（図２３（Ｌ））。
【００９１】
同様に、表示装置１では、タイミングｔ９６〜ｔ１０４の期間において、表示部２０が、８つ分のフレーム期間Ｔ０に対応する期間にわたり、同じ右眼画像ＰＲ（ｎ＋１）を領域ＤＲ２に繰り返し表示する（図２３（Ｄ））。そして、タイミングｔ１０２〜ｔ１０４の期間において、液晶バリア１１Ｒ２が開状態（透過状態）になり、タイミングｔ１０３〜ｔ１０４の期間において、バックライト３０がオン状態になる（図２３（Ｈ），（Ｉ））。これにより、表示装置１は、右眼画像ＰＬ（ｎ＋１）を、タイミングｔ１０３〜ｔ１０４の期間において表示する。一方、シャッタ眼鏡６０では、右眼シャッタ６Ｒが、タイミングｔ１０２〜ｔ１０４の期間において開状態（透過状態）になる（図２３（Ｋ））。これにより、観察者は、タイミングｔ１０３〜ｔ１０４の期間において、右眼画像ＰＲ（ｎ＋１）を視認することができる（図２３（Ｍ））。
【００９２】
以上の動作を繰り返すことにより、観察者は、一連の左眼画像ＰＬを左眼視認映像ＵＬとして視認するとともに（図２３（Ｌ））、一連の右眼画像ＰＲを右眼視認映像ＵＲとして視認することにより（図２３（Ｍ））、本変形例に係る表示システムに表示される映像を立体的な映像として視認することができる。
【００９３】
このように、領域および液晶バリアをより多く設けることにより、同一の左眼画像ＰＬおよび右眼画像ＰＲを繰り返し表示する期間（繰返表示期間Ｔ１）をさらに長くすることができるため、液晶素子ＬＣが十分に応答した後に観察者が画像を視認することができる、画質の低下を抑えることができる。
【００９４】
また、例えば、上記の各実施の形態では、バックライト３０、表示部２０、およびバリア部１０が、この順に配置したが、これに限定されるものではなく、これに代えて、例えば、図２４に示したように、バックライト３０、バリア部１０、表示部２０の順に配置してもよい。
【００９５】
なお、本技術は以下のような構成とすることができる。
【００９６】
（１）表示部と、
開状態と閉状態とを切り換え可能な複数の光バリアを含むバリア部と、
前記光バリアの開閉タイミングに同期して１または複数のシャッタ眼鏡のそれぞれにおける左眼シャッタおよび右眼シャッタの開閉を切り換えるシャッタ制御部と
を備えた
表示装置。
【００９７】
（２）前記複数の光バリアは、互いに異なるタイミングで開閉切り換えを行う複数のバリアグループにグループ分けされ、
前記表示部は、前記複数のバリアグループに対応して、互いに異なる映像を表示する複数のサブ領域に分けられている
前記（１）に記載の表示装置。
【００９８】
（３）前記バリア部を駆動するバリア駆動部をさらに備え、
前記表示部は、各サブ領域において、映像を構成する各フレーム画像を、所定数のフレーム期間からなる繰返表示期間にわたって繰り返し表示し、
前記バリア駆動部は、１のバリアグループに属する複数の光バリアを、そのバリアグループに対応する繰返表示期間のうちの第１の期間においてのみ開状態にし、他の１のバリアグループに属する複数の光バリアを、そのバリアグループに対応する繰返表示期間のうちの、前記第１の期間とは異なる第２の期間においてのみ開状態にする
前記（２）に記載の表示装置。
【００９９】
（４）前記第１の期間および前記第２の期間は、繰返表示期間のうちの先頭フレーム期間以外の期間に属している
前記（３）に記載の表示装置。
【０１００】
（５）前記バリア部を駆動するバリア駆動部をさらに備え、
前記表示部は、各サブ領域において、映像を構成する各フレーム画像と黒画像とを、サブ領域間で互いに異なる期間においてそのフレーム画像を表示するように、時分割的に表示し、
前記バリア駆動部は、各バリアグループに属する複数の光バリアを、対応するサブ領域においてフレーム画像が表示された期間に対応する第１の期間においてのみ開状態にする
前記（２）に記載の表示装置。
【０１０１】
（６）前記複数の光バリアは、第１のバリアグループおよび第２のバリアグループにグループ分けされ、
前記表示部は、前記第１のバリアグループに対応するサブ領域に左眼映像を表示するとともに、前記第２のバリアグループに対応するサブ領域に右眼映像を表示し、
前記シャッタ制御部は、
前記第１のバリアグループに属する光バリアの開状態期間に対応する期間においてのみ前記左眼シャッタを開状態にし、
前記第２のバリアグループに属する光バリアの開状態期間に対応する期間においてのみ前記右眼シャッタを開状態にする
前記（２）から（５）のいずれかに記載の表示装置。
【０１０２】
（７）前記シャッタ制御部は、各バリアグループに属する光バリアの開状態期間に対応する期間においてのみ、１または複数のシャッタ眼鏡のうちの所定のシャッタ眼鏡の左眼シャッタおよび右眼シャッタの両方を開状態にする
前記（２）から（５）のいずれかに記載の表示装置。
【０１０３】
（８）前記光バリアの開状態期間に対応する期間において発光するバックライトをさらに備え、
前記表示部は、前記バックライトからの光を変調する液晶表示素子を含む
前記（１）から（７）のいずれか記載の表示装置。
【０１０４】
（９）前記表示部は、前記バックライトと前記バリア部との間に配置されている
前記（８）に記載の表示装置。
【０１０５】
（１０）前記バリア部は、前記バックライトと前記表示部との間に配置されている
前記（８）に記載の表示装置。
【０１０６】
（１１）前記表示部は、自発光表示素子を含んで構成されている
前記（５）に記載の表示装置。
【０１０７】
（１２）映像を表示し、
複数の光バリアを開状態と閉状態との間で切り換え、
前記光バリアの開閉タイミングに同期して１または複数のシャッタ眼鏡のそれぞれにおける左眼シャッタおよび右眼シャッタの開閉を切り換える
表示方法。
【符号の説明】
【０１０８】
１，２，３…表示装置、１０…バリア部、１１Ｌ，１１Ｒ…液晶バリア、１２Ｌ，１２Ｒ…透明電極、１３…透明基板、１４…偏光板、１５…透明電極層、１６…透明基板、１７…透明電極層、１８…偏光板、１９…液晶層、２０，２０Ａ…表示部、３０…バックライト、４１，４５…制御部、４２…バックライト駆動部、４３…バリア駆動部、４４，４６…シャッタ制御部、５１…タイミング制御部、５２…ゲートドライバ、５３…データドライバ、６Ｌ，６ＡＬ，６ＢＬ…左眼シャッタ，６Ｒ，６ＡＲ，６ＢＲ…右眼シャッタ、６０，６０Ａ，６０Ｂ…シャッタ眼鏡、１００，１００Ｃ，２００，３００…表示システム、ＣＴＬ，ＣＴＬＡ，ＣＴＬＢ…シャッタ制御信号、Ｃ…保持容量素子、Ｃｓ…保持容量線、Ｄ…データ線、ＤＬ，ＤＲ…領域、Ｇ…ゲート線、ＬＣ…液晶素子、Ｓdisp，Ｓdisp2，Ｓ，Ｓ１…映像信号、Ｐix…画素、ＰＬ…左眼画像、ＰＲ…右眼画像、ＳＰix…サブ画素、Ｔｒ…ＴＦＴ素子、Ｔ０…フレーム期間、Ｔ１…繰返表示期間。
【図１】
2012249013.tif 000003
【図２】
2012249013.tif 000004
【図３】
2012249013.tif 000005
【図４】
2012249013.tif 000006
【図５】
2012249013.tif 000007
【図６】
2012249013.tif 000008
【図７】
2012249013.tif 000009
【図８】
2012249013.tif 000010
【図９】
2012249013.tif 000011
【図１０】
2012249013.tif 000012
【図１１】
2012249013.tif 000013
【図１２】
2012249013.tif 000014
【図１３】
2012249013.tif 000015
【図１４】
2012249013.tif 000016
【図１５】
2012249013.tif 000017
【図１６】
2012249013.tif 000018
【図１７】
2012249013.tif 000019
【図１８】
2012249013.tif 000020
【図１９】
2012249013.tif 000021
【図２０】
2012249013.tif 000022
【図２１】
2012249013.tif 000023
【図２２】
2012249013.tif 000024
【図２３】
2012249013.tif 000025
【図２４】
2012249013.tif 000026